(57)【要約】      （修正有）【課題】ある製品が、生産台数を限定した限定生産品であることを第三者が容易に認識し得るようにして、所有者の満足感と、その限定生産品の希少価値を高める表示プレートを提供する。【解決手段】限定数だけ生産された限定生産品に対して共通に使用する共通図柄を表示する共通表示部３と、限定生産品の全生産数量と、この全生産数量の中で特定の一つのシリアル番号を表示するシリアル番号表示部４と、を備え、限定生産品に取り付けられる表示プレート１を構成する。限定生産品の所有者が独自に決定した図柄を表示する個別表示部５をさらに備えるのが好ましい。【選択図】図１
0003194314.tif 000002
【実用新案登録請求の範囲】
【請求項１】
限定数だけ生産された限定生産品（Ｐ）に対して共通に使用する共通図柄を表示する共通表示部（３）と、
前記限定生産品（Ｐ）の全生産数量と、この全生産数量の中で特定の一つのシリアル番号を表示するシリアル番号表示部（４）と、
を備え、前記限定生産品（Ｐ）に取り付けられる表示プレート。
【請求項２】
前記限定生産品（Ｐ）の所有者が独自に決定した図柄を表示する個別表示部（５）をさらに備えた請求項１に記載の表示プレート。
【考案の詳細な説明】
【技術分野】
【０００１】
この考案は、生産台数等の数量が限定された限定生産品に取り付けられる表示プレートに関する。
【背景技術】
【０００２】
バイク等の製品においては、その製品を敢えて大量生産せずに、例えば生産台数が９９９９台の限定生産品として販売する販売手法が採られることがある。このように生産台数を限定した限定生産品とすることにより、所有者が、限定生産品を所有しているという満足感を得ることができるとともに、その限定生産品の話題性や希少価値を高めることができるという効果がある。
【考案の概要】
【考案が解決しようとする課題】
【０００３】
上記のように生産台数を限定して限定生産品としても、製品の外観上のみからは、第三者が、その製品が限定生産品であることに気付きにくい。このため、所有者の満足感や、製品の希少価値が大きく損なわれることが多い。例えば、版画等のようにある程度の数量が複製される美術品においては、製作者が作品に全製作枚数に対するシリアル番号を直接記入することが通常なされているが、バイク等の製品（主に工業製品）は、工場において製品にロット番号が付されることはあっても、全生産数量に対するシリアル番号が付されることはない。
【０００４】
そこで、この考案は、ある製品が、生産台数を限定した限定生産品であることを第三者が容易に認識し得るようにして、所有者の満足感と、その限定生産品の希少価値を高めることを課題とする。
【課題を解決するための手段】
【０００５】
上記の課題を解決するため、この考案は、限定数だけ生産された限定生産品に対して共通に使用する共通図柄を表示する共通表示部と、前記限定生産品の全生産数量と、この全生産数量の中で特定の一つのシリアル番号を表示するシリアル番号表示部と、を備え、前記限定生産品に取り付けられる表示プレートを構成した。
【０００６】
このように、共通表示部とシリアル番号表示部を備えた表示プレートを構成し、この表示プレートを製品に取り付けることにより、共通表示部に表示される共通図柄（例えば、ロゴマーク）と、シリアル番号表示部に表示されるシリアル番号から、この製品が限定生産品であることを第三者が容易に認識することができる。このため、所有者が満足感を得ることができるとともに、その限定生産品の希少価値を高めることができる。しかも、製品とは独立の表示プレートとしたことにより、製品の生産場所（工場）のみならず、販売場所（店舗）等のようにその流通過程のどの段階でも、この表示プレートを製品に取り付けることができ利便性が高い。
【０００７】
前記構成においては、前記限定生産品の所有者が独自に決定した図柄を表示する個別表示部をさらに備えた構成とすることができる。この個別表示部に、所有者独自の図柄を表示することにより、限定生産品の希少価値に起因する満足感に、その限定生産品を所有者が独自にアレンジしたことによる満足感が加わるというメリットがある。
【考案の効果】
【０００８】
この考案では、限定数だけ生産された限定生産品に対して共通に使用する共通図柄を表示する共通表示部と、前記限定生産品の全生産数量と、この全生産数量の中で特定の一つのシリアル番号を表示するシリアル番号表示部と、を備え、前記限定生産品に取り付けられる表示プレートを構成した。この表示プレートを製品に取り付けることにより、この製品が限定生産品であることを第三者が容易に認識することができ、所有者が満足感を得ることができるとともに、その限定生産品の希少価値を高めることができる。
【図面の簡単な説明】
【０００９】
【図１】本願考案に係る表示プレートの実施形態を示す正面図
【図２】図１に示す表示プレートの使用態様を示す正面図
【考案を実施するための形態】
【００１０】
この考案に係る表示プレート１の実施態様を図１に示す。この表示プレート１は、板状のプレート本体２を有し、このプレート本体２の一方の面側に、共通表示部３と、シリアル番号表示部４と、個別表示部５を備えている。
【００１１】
共通表示部３には、例えば、電動バイク等の限定生産品Ｐ（図２参照）に対して共通に使用される共通図柄（ロゴマーク）が表示される。このように、共通図柄（本実施形態においては花柄）を表示することにより、表示プレート１及びこの表示プレート１を取り付けた限定生産品Ｐの注目度が高まるという効果を奏する。さらに、この共通図柄が周知になるにつれて、商標と同様に、この限定生産品Ｐの出所表示機能等の付加的な機能を発揮するという効果も生じる。
【００１２】
シリアル番号表示部４には、全生産数量と、その生産数に対するこの製品のシリアル番号が表示されている。この全生産数量（９９９９台）は、当然ながら本実施形態に限定されず、製品によって適宜変更される。シリアル番号として、１から全生産数量までの中のいずれかの数値が決定される。このシリアル番号が付されることにより、表示プレート１を取り付けた製品が限定生産品Ｐの中の特定の一つであることが明確になり、所有者の満足感と、限定生産品Ｐとしての希少価値を一層高めることができる。また、表示プレート１を取り付けた限定生産品Ｐが盗難に遭ったり、紛失したりした場合においても、この表示プレート１のシリアル番号表示部４の表示を手掛かりにして、所有者がその貴重な限定生産品Ｐを速やかに取り戻すことが可能となる。
【００１３】
個別表示部５には、所有者が独自に決定した文字や図柄（本実施形態では所有者の名前）が表示される。その製品が限定生産品Ｐであることを表示する共通表示部３及びシリアル番号表示部４とともに、個別表示部５を備えることにより、その製品が限定生産品Ｐである満足感に加え、その限定生産品Ｐの所有者への帰属性が高まり、所有者の満足感がさらに高まる。また、表示プレート１を取り付けた限定生産品Ｐが盗難に遭ったり、紛失したりした場合においても、シリアル番号表示部４と同様に、個別表示部５の表示を手掛かりにして、所有者が限定生産品Ｐを速やかに取り戻すことが可能となる。
【００１４】
本実施形態に係る表示プレート１のプレート本体２は金属製であり、化学エッチング法でこのプレート本体２の表面に凹凸を形成することにより、共通表示部３、シリアル番号表示部４、及び個別表示部５を形成している。このプレート本体２には、金属以外に樹脂、木材を始め、種々の素材を適用することができる。そして、その素材の種類に対応して、ホットプレス、研削等の適切な手法を採用することによって、共通表示部３等が形成される。
【００１５】
プレート本体２の面内における共通表示部３、シリアル番号表示部４、及び個別表示部５の配置は、この実施形態における配置に限定されることなく、適宜変更することができる。また、個別表示部５の表示を省略したり、この個別表示部５の代わりに他の表示（文字や絵柄）をしたりすることもできる。
【００１６】
この考案に係る表示プレート１を、限定生産品Ｐの一つである電動バイクＰのフレームに取り付けた状態を図２に示す。この表示プレート１をフレームの見やすいところに取り付けておくと、第三者がこの製品が限定生産品Ｐであることを容易に認識することができる。このため、この限定生産品Ｐの所有者が高い満足感を得られるとともに、その限定生産品Ｐの希少価値を高めることができる。また、表示プレート１の個別表示部５には所有者の個性が強く表れていることから、窃盗犯が実行に移すのをためらうことによる盗難防止効果も期待できる。
【００１７】
上記の実施形態はあくまでも一例であって、本願考案の、ある製品が、生産台数を限定した限定生産品Ｐであることを第三者が容易に認識し得るようにして、所有者の満足感と、その限定生産品Ｐの希少価値を高める、という課題を解決し得る限りにおいて、その全体の形状、構成要素の表示内容等を適宜変更することができる。
【符号の説明】
【００１８】
１  表示プレート
２  プレート本体
３  共通表示部
４  シリアル番号表示部
５  個別表示部
Ｐ  限定生産品（電動バイク）
【図１】
0003194314.tif 000003
【図２】
0003194314.tif 000004